(57)【特許請求の範囲】
【請求項１】
盤内移動機器の下部側に配置され、前記盤内移動機器を直動移送させるための直動ガイドレーンが形成されたベースフレームと、前記ベースフレームの上部側に配設され、盤内移動機器が取り付けられる可動フレームと、前記可動フレームに設けられ、前記直動ガイドレーン内に位置するように取り付けられた直動ガイド体と、前記可動フレームに設けられたカムフォロアと、前記ベースフレームの前方部に配設され、レバー挿入部が形成された操作部と、前記ベースフレームの下面側に回転自在に配置され、前記カムフォロアと係合されるカムガイドレーンが形成されたカムと、一端部は前記操作部のレバー挿入部に挿入され、前記カムと着脱可能に連結される操作レバーとを備えたことを特徴とする盤内移動機器の外部操作機構。
【請求項２】
前記可動フレームに設けられた前記直動ガイド体は２個配置され、前記直動ガイドレーン内を前後方向に直動することにより前記可動フレームを前後方向に直動させることを特徴とする請求項１に記載の盤内移動機器の外部操作機構。
【請求項３】
前記カムの回転に連動して前記可動フレームが前後方向に直動することを特徴とする請求項１または請求項２に記載の盤内移動機器の外部操作機構。
【請求項４】
前記操作レバーの一端部はレバー連結部として構成され、前記カムの一端部はカム連結部として構成されて前記操作部内の前記レバー挿入部付近まで延在して配置され、前記操作レバーの前記レバー連結部は前記カムの前記カム連結部に着脱可能に連結されることを特徴とする請求項１〜請求項３のいずれか１項に記載の盤内移動機器の外部操作機構。
【発明の詳細な説明】
【技術分野】
【０００１】
この発明は、例えば盤内移動機器を盤の外部からの操作にて移動させる盤内移動機器の外部操作機構に関するものである。
【背景技術】
【０００２】
従来の盤内移動機器の外部操作機構としては、例えば実開昭６２−１７７２１３号公報に記載されたものがあり、この電気機器の移動装置は、電気機器が固定された可動枠の両外側面に設けられた可動枠側移動案内体と、これに対応して固定枠の両内側面に設けられた固定枠側移動案内体とを相互に滑動するように組み合わせて可動枠を固定枠に収納し、一対の固定枠側移動案内体にその両端を回転自在に支持されたカム支持軸の一方の軸端にカムを、他方の軸端にその周縁に所要の歯を有するカムギヤを相互に対称的に固定し、かつ固定枠にカムギヤの歯とかみ合う歯車を設けるとともに、歯車を操作ハンドルにより時計方向あるいは反時計方向に回動させてカムギヤがカム支持軸とともに回動するようにし、可動枠側移動案内体の両外側面に設けられた水平方向のカムピンのローラがそれぞれカムとカムギヤに形成された案内溝に沿って転動することにより、カムピンが固定枠側移動案内体に水平方向に形成されたカムピン案内溝の内部に案内され、可動枠側移動案内体が固定枠側移動案内体に沿って水平方向に前後に滑動するようにしたものである。【０００３】
また、他の従来の盤内移動機器の外部操作機構としては、特開２０１１−１０５４４号公報に記載されたものがあり、この回路遮断器の遮断器本体移送装置は、クレードルの後方に設置されたマウントフレームに結合又は分離される遮断器本体が移送可能に載置されるキャリッジと、キャリッジを前後に移動させるための引込及び引出ハンドルと、引込及び引出ハンドルにより移送されるキャリッジの移送距離を制限するための制動手段と、引込及び引出ハンドルを支持するためのガーダアセンブリとから構成されている。引込及び引出ハンドルは、箱体の前方の壁体に形成された貫通孔に前後方向に挿入されるリードスクリューと、リードスクリューに螺合された状態で箱体の前方の壁体の内側に設置される移送ナットと、移送ナットの離脱を防止するために箱体に固定されるＵ字状のブラケットと、リードスクリューを正逆回転できるように前端部に着脱可能に設置される取っ手とからなる。
【先行技術文献】
【特許文献】
【０００４】
【特許文献１】実開昭６２−１７７２１３号公報
【特許文献２】特開２０１１−１０５４４号公報
【発明の概要】
【発明が解決しようとする課題】
【０００５】
上述した従来の特許文献１に記載の盤内移動機器の外部操作機構は、可動枠の両外側面に設けられた可動枠側移動案内体と対応して固定枠の両内側面に設けられた固定枠側移動案内体にその両端を回転自在に支持されたカム支持軸を設け、このカム支持軸の一方の軸端にカムを、他方の軸端にそのカムギヤを相互に対称的に固定し、かつ固定枠にカムギヤの歯とかみ合う歯車を設けるとともに、歯車を操作ハンドルにより時計方向あるいは反時計方向に回動させてカムギヤがカム支持軸とともに回動させ、可動枠側移動案内体の両外側面に設けられた水平方向のカムピンのローラがそれぞれカムとカムギヤに形成された案内溝に沿って転動させるようにしているので、盤内移動機器の両側に可動枠側移動案内体と固定枠側移動案内体をそれぞれ設ける必要があるとともに、駆動力の入力側は片側のカムギヤ側であり、カムギヤの駆動力とカムに伝達するためのカム支持軸など構成部品が多く複雑と構造となってしまい、高価な盤内移動機器の外部操作機構となってしまうという問題点があった。【０００６】
また、特許文献２に記載の盤内移動機器の外部操作機構は、遮断器本体が載置されるキャリッジを前後に移動させるための引込及び引出ハンドルを設け、この引込及び引出ハンドルは箱体の前方の壁体に形成された貫通孔に前後方向に挿入されるリードスクリューと、このリードスクリューに螺合された状態で箱体の前方の壁体の内側に設置される移送ナットなどを含んでおり、リードスクリューが前後方向に貫通する必要があるためリードスクリューのネジに沿って移動する移送ナット側の寸法（高さ方向）を低く抑えることが出来ないため、移動機器である遮断器の台車部は高さが高くなってしまい移動機器の種類を統一出来ないだけでなく、この移動機器と接続される固定枠側も専用品を作らなければならず盤を構成する上での標準化の大きな妨げとなっているという問題点があった。【０００７】
この発明は、上記のような課題を解決するためになされたものであり、その目的は、簡単な構成でかつ簡単な操作により盤内移動機器を操作することができる盤内移動機器の外部操作機構を提供するものである。
【課題を解決するための手段】
【０００８】
この発明に係わる盤内移動機器の外部操作機構は、盤内移動機器の下部側に配置され、前記盤内移動機器を直動移送させるための直動ガイドレーンが形成されたベースフレームと、前記ベースフレームの上部側に配設され、盤内移動機器が取り付けられる可動フレームと、前記可動フレームに設けられ、前記直動ガイドレーン内に位置するように取り付けられた直動ガイド体と、前記可動フレームに設けられたカムフォロアと、前記ベースフレームの前方部に配設され、レバー挿入部が形成された操作部と、前記ベースフレームの下面側に回転自在に配置され、前記カムフォロアと係合されるカムガイドレーンが形成されたカムと、一端部は前記操作部のレバー挿入部に挿入され、前記カムと着脱可能に連結される操作レバーとを備えたものである。
【発明の効果】
【０００９】
この発明に係わる盤内移動機器の外部操作機構によれば、簡単な構成でかつ簡単な操作により盤内移動機器を操作することができる盤内移動機器の外部操作機構を得ることができる。
【図面の簡単な説明】
【００１０】
【図１】この発明の実施の形態１に係わる盤内移動機器の外部操作機構における遮断器本体の引き出し位置の状態を示す斜視図である。
【図２】この発明の実施の形態１に係わる盤内移動機器の外部操作機構における遮断器本体の接続位置の状態を示す斜視図である。
【図３】この発明の実施の形態１に係わる盤内移動機器の外部操作機構を台車に取り付けた状態を示す正面図である。
【図４】この発明の実施の形態１に係わる盤内移動機器の外部操作機構を台車に取り付け盤の固定枠を省いた状態を示す正面図である。
【図５】この発明の実施の形態１に係わる盤内移動機器の外部操作機構を台車に取り付けた状態を示す側面図である。
【図６】この発明の実施の形態１に係わる盤内移動機器の外部操作機構を台車と切り離した状態を示す正面図である。
【図７】この発明の実施の形態１に係わる盤内移動機器の外部操作機構を台車と切り離した状態を示す側面図である。
【００１１】
【図８】この発明の実施の形態１に係わる盤内移動機器の外部操作機構における遮断器本体の引き出し位置の状態を示す斜視図である。
【図９】この発明の実施の形態１に係わる盤内移動機器の外部操作機構における可動フレームとベースフレーム部を示す断面図である。
【図１０】この発明の実施の形態１に係わる盤内移動機器の外部操作機構における可動フレームとカム部を示す断面図である。
【図１１】この発明の実施の形態１に係わる盤内移動機器の外部操作機構における遮断器本体の接続途中の位置の状態を示す斜視図である。
【図１２】この発明の実施の形態１に係わる盤内移動機器の外部操作機構における遮断器本体の接続位置の状態を示す斜視図である。
【図１３】この発明の実施の形態１に係わる盤内移動機器の外部操作機構における遮断器本体の引き出し位置の状態の要部を示す斜視図である。
【００１２】
【図１４】この発明の実施の形態１に係わる盤内移動機器の外部操作機構における遮断器本体の引き出し位置で操作レバーの装着前の状態の要部を示す斜視図である。
【図１５】この発明の実施の形態１に係わる盤内移動機器の外部操作機構における遮断器本体の引き出し位置で操作レバーの装着途中の状態の要部を示す斜視図である。
【図１６】この発明の実施の形態１に係わる盤内移動機器の外部操作機構における遮断器本体の引き出し位置で操作レバーの装着後の状態の要部を示す斜視図である。
【図１７】この発明の実施の形態１に係わる盤内移動機器の外部操作機構における遮断器本体の接続途中の位置の状態の要部を示す斜視図である。
【図１８】この発明の実施の形態１に係わる盤内移動機器の外部操作機構における遮断器本体の接続位置の状態の要部を示す斜視図である。
【図１９】この発明の実施の形態１に係わる盤内移動機器の外部操作機構における遮断器本体の接続位置の状態の要部を示す平面図である。
【図２０】この発明の実施の形態１に係わる盤内移動機器の外部操作機構における遮断器本体の接続途中の位置の状態の要部を示す平面図である。
【図２１】この発明の実施の形態１に係わる盤内移動機器の外部操作機構における遮断器本体の引き出し位置の状態の要部を示す平面図である。
【発明を実施するための形態】
【００１３】
実施の形態１．
以下、この発明の実施の形態１を図１〜図２１に基づいて説明するが、各図において、同一、または相当部材、部位については同一符号を付して説明する。図１はこの発明の実施の形態１に係わる盤内移動機器の外部操作機構における遮断器本体の引き出し位置の状態を示す斜視図である。図２はこの発明の実施の形態１に係わる盤内移動機器の外部操作機構における遮断器本体の接続位置の状態を示す斜視図である。図３はこの発明の実施の形態１に係わる盤内移動機器の外部操作機構を台車に取り付けた状態を示す正面図である。図４はこの発明の実施の形態１に係わる盤内移動機器の外部操作機構を台車に取り付け盤の固定枠を省いた状態を示す正面図である。図５はこの発明の実施の形態１に係わる盤内移動機器の外部操作機構を台車に取り付けた状態を示す側面図である。図６はこの発明の実施の形態１に係わる盤内移動機器の外部操作機構を台車と切り離した状態を示す正面図である。図７はこの発明の実施の形態１に係わる盤内移動機器の外部操作機構を台車と切り離した状態を示す側面図である。図８はこの発明の実施の形態１に係わる盤内移動機器の外部操作機構における遮断器本体の引き出し位置の状態を示す斜視図である。図９はこの発明の実施の形態１に係わる盤内移動機器の外部操作機構における可動フレームとベースフレーム部を示す断面図である。図１０はこの発明の実施の形態１に係わる盤内移動機器の外部操作機構における可動フレームとカム部を示す断面図である。図１１はこの発明の実施の形態１に係わる盤内移動機器の外部操作機構における遮断器本体の接続途中の位置の状態を示す斜視図である。図１２はこの発明の実施の形態１に係わる盤内移動機器の外部操作機構における遮断器本体の接続位置の状態を示す斜視図である。図１３はこの発明の実施の形態１に係わる盤内移動機器の外部操作機構における遮断器本体の引き出し位置の状態の要部を示す斜視図である。図１４はこの発明の実施の形態１に係わる盤内移動機器の外部操作機構における遮断器本体の引き出し位置で操作レバーの装着前の状態の要部を示す斜視図である。図１５はこの発明の実施の形態１に係わる盤内移動機器の外部操作機構における遮断器本体の引き出し位置で操作レバーの装着途中の状態の要部を示す斜視図である。図１６はこの発明の実施の形態１に係わる盤内移動機器の外部操作機構における遮断器本体の引き出し位置で操作レバーの装着後の状態の要部を示す斜視図である。図１７はこの発明の実施の形態１に係わる盤内移動機器の外部操作機構における遮断器本体の接続途中の位置の状態の要部を示す斜視図である。図１８はこの発明の実施の形態１に係わる盤内移動機器の外部操作機構における遮断器本体の接続位置の状態の要部を示す斜視図である。図１９はこの発明の実施の形態１に係わる盤内移動機器の外部操作機構における遮断器本体の接続位置の状態の要部を示す平面図である。図２０はこの発明の実施の形態１に係わる盤内移動機器の外部操作機構における遮断器本体の接続途中の位置の状態の要部を示す平面図である。図２１はこの発明の実施の形態１に係わる盤内移動機器の外部操作機構における遮断器本体の引き出し位置の状態の要部を示す平面図である。
【００１４】
これら各図において、１は盤の固定枠、２は盤内の固定枠１間に挿入あるいは盤内の固定枠１間から引き出される例えば３相構成からなる遮断器本体、３は遮断器本体２に設けられた主回路接続端子、４は遮断器本体２が載置された台車、５は台車４の車輪、６は正面カバー、７は正面カバー６に取り付けられた取っ手、８は台車４のガイドとなる車輪レール部である。なお、車輪レール部８には後述する外部操作機構１０の係合体１９が係合される係止穴９が形成されている。
【００１５】
１０は盤内移動機器である遮断器本体２を外部操作により盤前後方向に移送させるための外部操作機構であり、この外部操作機構１０は遮断器本体２が載置された台車４の下部側に取り付けられ、次の構成要素により構成されている。
【００１６】
１１は外部操作機構１０のベースとなるベースフレーム、１２はこのベースフレーム１１に形成された直動ガイドレーン、１３はベースフレーム１１の上部側に配設された可動フレームであり、この可動フレーム１３上に遮断器本体２が載置された台車４が載置される。可動フレーム１３と台車４とは可動フレーム１３に設けられた台車固定用穴１４と台車４に設けられた取付穴４ａを利用してボルトなどの締結部材（図示せず）により固定される。
【００１７】
１５は可動フレーム１３に直動ガイドレーン１２内に位置するように取り付けられた直動ガイド体であり、直動ガイド体１５は直動ガイドレーン１２内を前後に直動する。すなわち、図９に示すように、ベースフレーム１１上に可動フレーム１３が載置され、直動ガイド体１５は直動ガイドレーン１２内に位置するように可動フレーム１３に取り付けられ、直動ガイド体１５は直動ガイドレーン１２内を前後に直動するように構成されている。
【００１８】
１６はベースフレーム１１の前方部に配設された外部操作機構１０の操作部であり、後述する操作レバーのレバー連結部が挿入されるレバー挿入部１７が形成されている。１８は操作部１６の両側に伸長して配設された支持体であり、これら支持体１８の端部には上述した車輪レール部８に形成された係止穴９に係合される係合体１９がそれぞれ設けられている。係合体１９が係止穴９に係合されることにより、外部操作機構１０が所定の位置に保持されることになる。
【００１９】
２０はカムであり、このカム２０はベースフレーム１１の下面側にピン２０ａを支点として回転自在に配置され、可動フレーム１３に設けられたカムフォロア２１と係合されるカムガイドレーン２２が形成されている。すなわち、図１０に示すように、ベースフレーム１１の下方側に配置され、カムフォロア２１はカムガイドレーン２２内に位置するように可動フレーム１３に取り付けられ、カムフォロア２１はカムガイドレーン２２内を移動するように構成されている。また、カム２０の一端部はカム連結部２３として構成され、操作部１６内のレバー挿入部１７付近まで延在して配置されている。
【００２０】
２４は外部操作機構１０の操作レバーであり、操作レバー２４の一端部はレバー連結部２５として構成され、操作レバー２４のレバー連結部２５は操作部１６のレバー挿入部１７に挿入され、操作部１６内のレバー挿入部１７付近まで延在して配置されているカム２０のカム連結部２３と着脱可能に連結される。操作レバー２４は操作部１６内のレバー挿入部１７の幅方向に回動可能な構成となっている。なお、支持体１８には外部操作機構１０全体を台車４の下部側に配置あるいは台車４の下部側から引き出すための操作機構取っ手２６が例えば図７の矢印にて示す方向に回動可能に設けられている。
【００２１】
次に動作について説明する。図１および図２は支持体１８の係合体１９が車輪レール部８に形成された係止穴９に係合された状態を示し、外部操作機構１０が盤内に確実に取り付けられている。そして、図１は遮断器本体２の引き出し位置の状態を示しており、この状態から遮断器本体２を接続位置に移送させるには操作レバー２４を接続操作方向Ｐに回動させると、操作レバー２４と連結されたカム２０が遮断器本体２の上方から見て反時計方向側へ回転する。
【００２２】
カム２０が反時計方向側へ回転すると、可動フレーム１３に設けられたカムフォロア２１がカムガイドレーン２２に沿って前方側に移動する。このカムフォロア２１のカムガイドレーン２２内の前方側（盤正面から見て奥方向、遮断器本体２の接続方向・挿入方向を言う）への移動に連動して可動フレーム１３に設けられた直動ガイド体１５が直動ガイドレーン１２内を前方側に直動する。
【００２３】
直動ガイド体１５が直動ガイドレーン１２内を前方側へ直動することにより、直動ガイド体１５が取り付けられた可動フレーム１３も前方側へ直動する。この可動フレーム１３が前方側へ直動することにより、可動フレーム１３と固定状態の遮断器本体２が載置された台車４も前方側へ直動する。
【００２４】
操作レバー２４を接続位置まで回動させることにより、図２に示す遮断器本体２の接続位置の状態となる。また、この状態から遮断器本体２を引き出し位置に移送させるには操作レバー２４を引き出し操作方向Ｑに回動させると、操作レバー２４と連結されたカム２０が遮断器本体２の上方から見て時計方向側へ回転する。
【００２５】
カム２０が時計方向側へ回転すると、可動フレーム１３に設けられたカムフォロア２１がカムガイドレーン２２に沿って後方側（盤正面から見て手前方向、遮断器本体２の引き出し方向を言う）に移動する。このカムフォロア２１のカムガイドレーン２２内の後方側への移動に連動して可動フレーム１３に設けられた直動ガイド体１５が直動ガイドレーン１２内を後方側に直動する。
【００２６】
直動ガイド体１５が直動ガイドレーン１２内を後方側へ直動することにより、直動ガイド体１５が取り付けられた可動フレーム１３も後方側へ直動する。この可動フレーム１３が後方側へ直動することにより、可動フレーム１３と固定状態の遮断器本体２が載置された台車４も後方側へ直動する。
【００２７】
操作レバー２４を引き出し位置まで回動させることにより、図１に示す遮断器本体２の引き出し位置の状態となる。
【００２８】
次に外部操作機構１０の動作を図８〜図１２に基づいて説明する。図８は遮断器本体２が引き出し位置の状態を示し、図１１は遮断器本体２の接続途中の状態を示し、図１２は遮断器本体２の接続位置の状態を示している。
【００２９】
図８において、操作レバー２４のレバー連結部２５は操作部１６のレバー挿入部１７に挿入され、操作部１６内のレバー挿入部１７付近まで延在して配置されているカム２０のカム連結部２３と連結されている。
【００３０】
図８の状態から操作レバー２４を接続操作方向Ｐに回動させると、操作レバー２４と連結されたカム２０がピン２０ａを支点として反時計方向側へ回転する。図１１は遮断器本体２の接続途中に相当する状態であり、カム２０がピン２０ａを支点として反時計方向側へ回転すると、可動フレーム１３に設けられたカムフォロア２１がカムガイドレーン２２に沿って前方側に移動する。このカムフォロア２１のカムガイドレーン２２内の前方側への移動に連動して可動フレーム１３に設けられた直動ガイド体１５が直動ガイドレーン１２内を前方側に直動する。
【００３１】
直動ガイド体１５が直動ガイドレーン１２内を前方側へ直動することにより、直動ガイド体１５が取り付けられた可動フレーム１３も前方側へ直動する。
【００３２】
図１１の状態から操作レバー２４を接続操作方向Ｐに更に回動させて接続位置まで回動させると、図１２に示すように、可動フレーム１３に設けられたカムフォロア２１がカムガイドレーン２２に沿って接続位置である最前方側に移動する。このカムフォロア２１のカムガイドレーン２２内の最前方側への移動に連動して可動フレーム１３に設けられた直動ガイド体１５が直動ガイドレーン１２内を最前方側に直動する。
【００３３】
直動ガイド体１５が直動ガイドレーン１２内を最前方側へ直動することにより、直動ガイド体１５が取り付けられた可動フレーム１３も接続位置である最前方側へ直動して図１２の状態となる。
【００３４】
図１２に示す接続位置の状態から引き出し位置に戻すには、操作レバー２４を引き出し操作方向Ｑに回動させると、操作レバー２４と連結されたカム２０が時計方向側へ回転する。
【００３５】
カム２０が時計方向側へ回転すると、可動フレーム１３に設けられたカムフォロア２１がカムガイドレーン２２に沿って後方側に移動する。このカムフォロア２１のカムガイドレーン２２内の後方側への移動に連動して可動フレーム１３に設けられた直動ガイド体１５が直動ガイドレーン１２内を後方側に直動する。
【００３６】
直動ガイド体１５が直動ガイドレーン１２内を後方側へ直動することにより、直動ガイド体１５が取り付けられた可動フレーム１３も後方側へ直動して図８に示す引き出し位置の状態となる。
【００３７】
次に外部操作機構１０における可動フレーム１３がない状態での動作を図１３〜図１８に基づいて説明する。図１３は遮断器本体２が引き出し位置の状態を示し、可動フレーム１３がない状態である。図１４は可動フレーム１３および操作部１６がない状態を示し、図１５は可動フレーム１３および操作部１６がない状態で操作レバー２４のレバー連結部２５がカム２０のカム連結部２３と連結される前の状態を示し、図１６は可動フレーム１３および操作部１６がない状態で操作レバー２４のレバー連結部２５がカム２０のカム連結部２３と連結された状態を示し、遮断器本体２が引き出し位置の状態を示している。図１７は可動フレーム１３および操作部１６がない状態で遮断器本体２の接続途中の状態を示し、図１８は可動フレーム１３および操作部１６がない状態で遮断器本体２の接続位置の状態を示している。
【００３８】
図１６の状態から操作レバー２４を接続操作方向Ｐに回動させると、操作レバー２４と連結されたカム２０が反時計方向側へ回転し、図１７に示す遮断器本体２の接続途中に相当する状態となる。図１７の状態から操作レバー２４を接続操作方向Ｐに更に回動させて接続位置まで回動させると、図１８に示すように、カム２０も接続位置に相当する位置まで更に回転する。
【００３９】
図１８に示す接続位置の状態から引き出し位置に戻すには、操作レバー２４を引き出し操作方向Ｑに回動させると、操作レバー２４と連結されたカム２０が時計方向側へ回転し、図１６に示す引き出し位置の状態となる。
【００４０】
また、図１９〜図２１の平面図によりカム２０と可動フレーム１３との動作を説明する。図１９は遮断器本体２の接続位置の状態を示し、カム２０はピン２０ａを支点として反時計方向に回動し、カム２０の回動により可動フレーム１３に設けられたカムフォロア２１がカムガイドレーン２２に沿って接続位置である最前方側に移動している。このカムフォロア２１のカムガイドレーン２２内の最前方側への移動に連動して可動フレーム１３も接続位置に移動する。したがって、可動フレーム１３に載置された台車４が接続位置に移動し、台車４に載置された遮断器本体２が接続されることになる。
【００４１】
図２０は図１９の状態から引き出し途中の状態を示し、カム２０はピン２０ａを支点として時計方向に回動し、カム２０の回動により可動フレーム１３に設けられたカムフォロア２１がカムガイドレーン２２に沿って引き出し途中の位置である中間部側に移動している。このカムフォロア２１のカムガイドレーン２２内の中間部側への移動に連動して可動フレーム１３も引き出し途中の位置である中間部側に移動する。したがって、可動フレーム１３に載置された台車４が接続位置から引き出し途中の位置である中間部側に移動し、台車４に載置された遮断器本体２も接続状態が開放されて引き出し途中の位置である中間部側に引き出されることになる。
【００４２】
図２１は図２０の状態から引き出された状態を示し、カム２０はピン２０ａを支点としてさらに時計方向に回動し、カム２０の回動により可動フレーム１３に設けられたカムフォロア２１がカムガイドレーン２２に沿って引き出し位置にさらに移動している。このカムフォロア２１のカムガイドレーン２２内の引き出し位置への移動に連動して可動フレーム１３も引き出し位置に移動する。したがって、可動フレーム１３に載置された台車４が引き出し位置に移動し、台車４に載置された遮断器本体２も引き出し位置に引き出されることになる。
【００４３】
以上説明したように、この実施の形態１における盤内移動機器の外部操作機構によれば、盤内移動機器である遮断器本体２が載置された台車４の前後方向の移送を操作レバー２４の回動操作のみで行うことができ、簡単な構成でかつ簡単な操作により盤内移動機器を外部から操作することができる盤内移動機器の外部操作機構を得ることができる。
【００４４】
また、操作レバー２４は盤内移動機器の前後方向への移送が必要なときにカム２０と連結させるので、盤内移動機器の前後方向への移送が不要なときは操作レバー２４を取り外しているので、周囲環境の安全性を確保できるとともに誤操作の防止も図ることができる。
【００４５】
なお、この発明は、その発明の範囲内において、実施の形態を適宜、変形、省略することが可能である。
【産業上の利用可能性】
【００４６】
この発明は、簡単な構成でかつ簡単な操作により盤内移動機器を操作することができる盤内移動機器の外部操作機構の実現に好適である。
【図１】
0005619322.tif 000002
【図２】
0005619322.tif 000003
【図３】
0005619322.tif 000004
【図４】
0005619322.tif 000005
【図５】
0005619322.tif 000006
【図６】
0005619322.tif 000007
【図７】
0005619322.tif 000008
【図８】
0005619322.tif 000009
【図９】
0005619322.tif 000010
【図１０】
0005619322.tif 000011
【図１１】
0005619322.tif 000012
【図１２】
0005619322.tif 000013
【図１３】
0005619322.tif 000014
【図１４】
0005619322.tif 000015
【図１５】
0005619322.tif 000016
【図１６】
0005619322.tif 000017
【図１７】
0005619322.tif 000018
【図１８】
0005619322.tif 000019
【図１９】
0005619322.tif 000020
【図２０】
0005619322.tif 000021
【図２１】
0005619322.tif 000022